(57)【特許請求の範囲】
【請求項１】
横長略長方形のダンボール板の上部中央部に一つの山形（１５）を設け、該山形（１５）から左右に延びる上面を曲線ａ（１６）及び曲線ｂ（１７）を持つ所定の形に加工し、前記ダンボール板に縦の折り線、折り線ａ（３），折り線ｂ（４），折り線ｃ（５），折り線ｄ（６），折り線ｅ（７）を設け、前記山形（１５）の下部面にハート形穴（１８）を設け、前記曲線ａ（１６）の下部面に半円形切り込み（９ａ）及び折り線（９ｂ）を設け、前記曲線ｂ（１７）の下部面に半円形切り込み（１２ａ）及び折り線（１２ｂ）を設け、折り線ａ（３）の線上に当たる部分に差込み口（１４）を設け、前記ダンボール板の右端部に差込み（１９）を設け、上記縦の折り線、折り線ａ（３），折り線ｂ（４），折り線ｃ（５），折り線ｄ（６），折り線ｅ（７）をそれぞれ内側に折り込み、差込み（１９）を差込み口（１４）に差し込んで立体を形成し、前記半円形切り込み（９ａ）を折り線（９ｂ）より内側に折り込み、半円形切り込み（１２ａ）を折り線（１２ｂ）より内側に折り込んで、これをトイレ本体（２）とし、
別途、横長長方形のダンボール板を、その上下の巾を部分的に狭めた所定の形に加工し、その４隅を丸く加工し、該ダンボール板の２ヶ所に縦の折り線、折り線ａ（２２）及び折り線ｂ（２３）を設け、中央部に円形穴（２４）を設け、前記折り線ａ（２２）及び折り線ｂ（２３）を同方向に折り曲げたものを強化板（２１）とし、該強化板（２１）を折り曲げ部分を上向きにして前記トイレ本体（２）の中に挿入し、トイレ本体（２）の上部左右にクッション材（２０）をそれぞれ嵌め込んだ、緊急用簡易トイレ。
【発明の詳細な説明】
【技術分野】
【０００１】  本発明は、地震や災害等の緊急時に使用できる緊急用簡易トイレに関するものである。
【背景技術】
【０００２】  従来、地震や災害等の緊急時にはプレハブ式の簡易トイレが設営されるが、例えば地震では道路が寸断され、プレハブ式の簡易トイレが現地に届くまでに時間がかかり、緊急時に間に合わない状況もある。また、プレハブ式の簡易トイレは満杯となって使用できなくなる状況もある。
そのためにダンボール製の組み立て式簡易トイレがいろいろ提案されている。
例えば、下記のような文献がある。
【先行技術文献】
【特許文献】
【０００３】
【特許文献１】特開平１１−８９７５０
【特許文献２】特開２００８−２８９８４８
【特許文献３】特許第３７６０３９３号
【発明の概要】
【発明が解決しようとする課題】
【０００４】  特開平１１−８９７５０においても特開２００８−２８９８４８においても上部がほぼ平面に形成されている。このような形では小用の場合飛沫が飛散する恐れがある。
また、特許第３７６０３９３号においては上面の前部をアーチ型とすることによりこの問題を解決しているが、組み立てが複雑である。本発明は組み立てが簡単で小用の飛沫が飛散する恐れがない、緊急用簡易トイレを提供する。
【課題を解決するための手段】
【０００５】  横長略長方形のダンボール板の上部中央部に一つの山形（１５）を設け、該山形（１５）から左右に延びる上面を曲線ａ（１６）及び曲線ｂ（１７）を持つ所定の形に加工し、前記ダンボール板に縦の折り線、折り線ａ（３），折り線ｂ（４），折り線ｃ（５），折り線ｄ（６），折り線ｅ（７）を設け、前記山形（１５）の下部面にハート形穴（１８）を設け、前記曲線ａ（１６）の下部面に半円形切り込み（９ａ）及び折り線（９ｂ）を設け、前記曲線ｂ（１７）の下部面に半円形切り込み（１２ａ）及び折り線（１２ｂ）を設け、折り線ａ（３）の線上に当たる部分に差込み口（１４）を設け、前記ダンボール板の右端部に差込み（１９）を設け、上記縦の折り線、折り線ａ（３），折り線ｂ（４），折り線ｃ（５），折り線ｄ（６），折り線ｅ（７）をそれぞれ内側に折り込み、差込み（１９）を差込み口（１４）に差し込んで立体を形成し、前記半円形切り込み（９ａ）を折り線（９ｂ）より内側に折り込み、半円形切り込み（１２ａ）を折り線（１２ｂ）より内側に折り込んで、これをトイレ本体（２）とする。
別途、横長長方形のダンボール板を、その上下の巾を部分的に狭めた所定の形に加工し、その４隅を丸く加工し、該ダンボール板の２ヶ所に縦の折り線、折り線ａ（２２）及び折り線ｂ（２３）を設け、中央部に円形穴（２４）を設け、前記折り線ａ（２２）及び折り線ｂ（２３）を同方向に折り曲げたものを強化板（２１）とする。
上記強化板（２１）を折り曲げ部分を上向きにして前記トイレ本体（２）の中に挿入し、トイレ本体（２）の上部左右にクッション材（２０）をそれぞれ嵌め込んだ、緊急用簡易トイレである。
【発明の効果】
【０００６】  本発明は、組み立てが簡単なので誰でもすぐ組み立てができて使用できる。本発明に便座用ポリ袋をセットして中にチリ紙を敷いて用を足し、その後は便座用ポリ袋を外して別途汚物収納ポリ袋に入れて自分で処理するので衛生的である。簡易トイレ自体は耐加重があり繰り返し使用可能なので、便座用ポリ袋、チリ紙や汚物収納ポリ袋等の消耗品を相当数セットすれば家族単位で使用できる。
【図面の簡単な説明】
【０００７】
【図１】本発明の展開図
【図２】本発明の組み立て斜視図
【図３】本発明を使用状態にした斜視図
【発明を実施するための形態】
【０００８】  本発明の構造を図１により説明する。
横長略長方形のダンボール板の上部中央部に一つの山形（１５）を設け、該山形（１５）から左右に延びる上面を曲線ａ（１６）及び曲線ｂ（１７）を持つ所定の形に加工し、前記ダンボール板に縦の折り線、折り線ａ（３），折り線ｂ（４），折り線ｃ（５），折り線ｄ（６），折り線ｅ（７）を設ける。前記折り線ａ（３），折り線ｂ（４），折り線ｃ（５），折り線ｄ（６），折り線ｅ（７）を内側に折り込むと、側壁ａ（８），側壁ｂ（９），側壁ｃ（１０），側壁ｄ（１１），側壁ｅ（１２）及び側壁ｆ（１３）が形成される。
山形（１５）の下部の側壁ｃ（１０）と側壁ｄ（１１）とにかけてハート形穴（１８）を設け、側壁ｂ（９）の中間部に半円形切り込み（９ａ）及び折り線（９ｂ）を設け、側壁ｅ（１２）の中間部に半円形切り込み（１２ａ）及び折り線（１２ｂ）を設け、側壁ａ（８）と側壁ｂ（９）とにかけて差込み口（１４）を設け、側壁ｆ（１３）の端部に差込み（１９）を設ける。
上記縦の折り線、折り線ａ（３），折り線ｂ（４），折り線ｃ（５），折り線ｄ（６），折り線ｅ（７）をそれぞれ内側に折り込み、差込み（１９）を差込み口（１４）に差し込んで立体を形成し、前記半円形切り込み（９ａ）を折り線（９ｂ）より内側に折り込み、半円形切り込み（１２ａ）を折り線（１２ｂ）より内側に折り込んで、これをトイレ本体（２）とする。これにより山形（１５）が前部となり、側壁ａ（８）は側壁ｆ（１３）の内側に入って後部の二重側壁をなす。
別途、横長長方形のダンボール板を、その上下の巾を部分的に狭めた所定の形に加工し、その４隅を丸く加工し、該ダンボール板の２ヶ所に縦の折り線、折り線ａ（２２）及び折り線ｂ（２３）を設け、中央部に円形穴（２４）を設け、折り線ａ（２２）及び折り線ｂ（２３）を同方向に折り曲げたものを強化板（２１）とする。
上記強化板（２１）を折り曲げ部分を上向きにして前記トイレ本体（２）の中に挿入し、トイレ本体（２）の上部左右にそれぞれクッション材（２０）を嵌め込んだ、緊急用簡易トイレ（１）である。
強化板（２１）をトイレ本体（２）の中に挿入したときに、強化板（２１）が、トイレ本体（２）の内側に折り込まれた半円板（９ｃ）及び半円板（１２ｃ）の上に乗って安定する。
緊急用簡易トイレ（１）を組み立てた状態の斜視図を図２に示す。
【０００９】  緊急用簡易トイレ（１）を使用するときは、便座用ポリ袋（３０）をその上にかぶせ、中にチリ紙（３１）を敷いて使用する。このとき強化板（２１）の上面は、便座用ポリ袋（３０）の台座となる。また、トイレ本体（２）の前部のハート形穴（１８）は、手をかけて体を支えることに役立つ。
用便後は便座用ポリ袋（３０）をトイレ本体（２）から外して結束し、別途用意した汚物収納ポリ袋に入れて廃棄する。
緊急用簡易トイレ（１）に便座用ポリ袋（３０）をかぶせ、チリ紙（３１）を敷いた状態を図３に示す。
【符号の説明】
【００１０】  １    緊急用簡易トイレ
２    トイレ本体
３    折り線ａ
４    折り線ｂ
５    折り線ｃ
６    折り線ｄ
７    折り線ｅ
８    側壁ａ
９    側壁ｂ
９ａ  半円形切り込み
９ｂ  折り線
９ｃ  半円板
１０    側壁ｃ
１１    側壁ｄ
１２    側壁ｅ
１２ａ  半円形切り込み
１２ｂ  折り線
１２ｃ  半円板
１３    側壁ｆ
１４    差込み口
１５    山形
１６    曲線ａ
１７    曲線ｂ
１８    ハート形穴
１９    差込み
２０    クッション材
２１    強化板
２２    折り線ａ
２３    折り線ｂ
２４    円形穴
３０    便座用ポリ袋
３１    チリ紙
【図１】
0005544662.tif 000002
【図２】
0005544662.tif 000003
【図３】
0005544662.tif 000004